(57)【要約】【課題】鉱物質またはその他の物質などを調整して溶出可能な条件の環境において、より短い時間、かつ小さい空間で鉱物質の成分を溶出させ、温泉水を造る温泉水製造器を提供する。【解決手段】泉質液を発生する少なくとも一つの泉質発生器１０と、助溶剤の液体を造るための少なくとも一つの助溶剤タンク２１、２２、２３、２４と、それぞれ泉質発生器１０及び助溶剤タンク２１、２２、２３、２４を接続する供水源３０と、を備え、前記助溶剤の液体と前記泉質液を混合させ温泉水を造る。【選択図】図１
0003159367.tif 000002
【実用新案登録請求の範囲】
【請求項１】
泉質液を発生する少なくとも一つの泉質発生器と、
助溶剤の液体を造るための少なくとも一つの助溶剤タンクと、
それぞれ前記泉質発生器及び前記助溶剤タンクを接続するための供水源と、を備え、
前記助溶剤の液体と前記泉質液との混合により温泉水が造られることを特徴とする温泉水製造器。
【請求項２】
前記供水源は、熱水源で、かつ該熱水源は加熱器により提供することを特徴とする請求項１に記載の温泉水製造器。
【請求項３】
前記加熱器は、湯沸し器であることを特徴とする請求項２に記載の温泉水製造器。
【請求項４】
前記助溶剤タンクの入口端前に冷却器が設けられ、該冷却器は、前記湯沸し器で沸かしたお湯を冷却することを特徴とする請求項３に記載の温泉水製造器。
【請求項５】
前記冷却器は、ファン及びラジエータを含むことを特徴とする請求項４に記載の温泉水製造器。
【請求項６】
前記供水源は、電磁弁に接続され、該電磁弁が前記冷却器に接続され、コントローラーにより制御されることを特徴とする請求項４に記載の温泉水製造器。
【請求項７】
前記冷却器と前記助溶剤タンクとの間に第１のタンクを設け、該第１のタンクに液面スイッチが設けられたことを特徴とする請求項４に記載の温泉水製造器。
【請求項８】
さらに前記液面を制御するためのコントローラーを備えることを特徴とする請求項７に記載の温泉水製造器。
【請求項９】
さらに少なくとも一つのポンプを備え、該ポンプは、それぞれ前記助溶剤タンクの入口端に接続されることを特徴とする請求項１に記載の温泉水製造器。
【請求項１０】
さらに第２のタンクを備え、該第２のタンクは、それぞれ前記助溶剤タンクと前記泉質発生器の入口端に接続されることを特徴とする請求項９に記載の温泉水製造器。
【請求項１１】
前記第２のタンクと前記泉質発生器との間に第１の吸入器が設けられたことを特徴とする請求項１０に記載の温泉水製造器。
【請求項１２】
さらに第３のタンクを備え、該第３のタンクは、それぞれ前記助溶剤タンクの出口端及び前記泉質発生器の出口端に接続されることを特徴とする請求項１１に記載の温泉水製造器。
【請求項１３】
前記第３のタンクと前記泉質発生器の出口端との間に第２の吸入器が設けられたことを特徴とする請求項１２に記載の温泉水製造器。
【請求項１４】
前記第１の吸入器の入口端に温度スイッチが設けられ、前記第２の吸入器の出口端に圧力スイッチが設けられたことを特徴とする請求項１３に記載の温泉水製造器。
【請求項１５】
さらに、前記圧力スイッチと前記温度スイッチとを制御するコントローラーを備えたことを特徴とする請求項１４に記載の温泉水製造器。
【請求項１６】
前記供水源は、それぞれ湯沸し器及び電磁弁を接続し、該湯沸し器は、水を沸かしてお湯を供給することを特徴とする請求項１に記載の温泉水製造器。
【請求項１７】
前記供水源は、電磁弁に接続され、該電磁弁が第１のタンクに接続されることを特徴とする請求項１６に記載の温泉水製造器。
【請求項１８】
泉質液を発生させる泉質発生器と、
助溶剤の液体を造るための第１の助溶剤タンクと、
助溶剤の液体を造るための第２の助溶剤タンクと、
助溶剤の液体を造るための第３の助溶剤タンクと、
助溶剤の液体を造るための第４の助溶剤タンクと、
前記泉質発生器、前記の第１の助溶剤タンク、前記第２の助溶剤タンク、前記第３の助溶剤タンク及び前記第４の助溶剤タンクをそれぞれ接続する供水源と、を備え、
前記助溶剤の液体と前記泉質液とを混合して温泉水が造られることを特徴とする温泉水製造器。
【請求項１９】
前記供水源は、熱水源で、該熱水源は加熱器の加熱によりお湯を提供することを特徴とする請求項１８に記載の温泉水製造器。
【請求項２０】
前記加熱器は湯沸し器であることを特徴とする請求項１９に記載の温泉水製造器。
【請求項２１】
前記第１の助溶剤タンク、前記第２の助溶剤タンク、前記第３の助溶剤タンク、前記第４の助溶剤タンクの入口端前に冷却器が設けられ、該冷却器は、前記お湯を冷却することを特徴とする請求項２０に記載の温泉水製造器。
【請求項２２】
前記冷却器は、ファン及びラジエータを含むことを特徴とする請求項２１に記載の温泉水製造器。
【請求項２３】
前記供水源は、電磁弁に接続され、該電磁弁が前記冷却器に接続され、コントローラーにより制御されることを特徴とする請求項２１に記載の温泉水製造器。
【請求項２４】
前記供水源と前記第１の助溶剤タンク、前記第２の助溶剤タンク、前記第３の助溶剤タンク、前記第４の助溶剤タンクとの間に第１のタンクが設けられ、該第１のタンクに液面スイッチが設けられたことを特徴とする請求項１８に記載の温泉水製造器。
【請求項２５】
さらに前記液面スイッチを制御するコントローラーを備えることを特徴とする請求項２４に記載の温泉水製造器。
【請求項２６】
さらに、少なくとも一つのポンプを備え、該ポンプは、それぞれ前記第１の助溶剤タンク、前記第２の助溶剤タンク、前記第３の助溶剤タンク、前記第４の助溶剤タンクの入口端及び前記第１のタンクを接続することを特徴とする請求項２４に記載の温泉水製造器。
【請求項２７】
さらに第２のタンクを備え、該第２のタンクは、それぞれ前記第１の助溶剤タンク、前記第２の助溶剤タンクの出口端及び前記泉質発生器の入口端に接続することを特徴とする請求項２６に記載の温泉水製造器。
【請求項２８】
前記第２のタンク及び前記泉質発生器の間に第１の吸入器が設けられたことを特徴とする請求項２７に記載の温泉水製造器。
【請求項２９】
さらに第３のタンクを備え、該第３のタンクは、それぞれ前記第３の助溶剤タンク、前記第４の助溶剤タンクの出口端及び前記泉質発生器の出口端に接続することを特徴とする請求項２８に記載の温泉水製造器。
【請求項３０】
前記第３のタンク及び前記泉質発生器の出口端の間に第２の吸入器が設けられたことを特徴とする請求項２９に記載の温泉水製造器。
【請求項３１】
前記第１の吸入器の入口端に温度スイッチが設けられ、前記第２の吸入器の出口端に圧力スイッチが設けられたことを特徴とする請求項３０に記載の温泉水製造器。
【請求項３２】
さらに前記圧力スイッチ及び前記温度スイッチを制御するコントローラーを備えたことを特徴とする請求項３１に記載の温泉水製造器。
【請求項３３】
前記供水源は、それぞれ湯沸し器及び電磁弁に接続し、該湯沸し器は、水を沸かしてお湯を提供することを特徴とする請求項１８に記載の温泉水製造器。
【請求項３４】
前記供水源は電磁弁を接続し、該電磁弁に第１のタンクを接続することを特徴とする請求項３３に記載の温泉水製造器。
【考案の詳細な説明】
【技術分野】
【０００１】
本考案は、天然に近い温泉水を製造可能な温泉水製造器に関する。
【背景技術】
【０００２】
現代人は、仕事が忙しく、生活の歩調も極めて緊張しているため、仕事の終わりのレジャー観光は、心身のストレスを解すための方式の一つとなっている。特にレジャー観光ブームの影響で、温泉へ行くことは、多くの旅館業者にとって最も推薦するレジャー産業の一つである。温泉養生理療の観念が受け入れられた後、従来、冬のみ温泉を巡ることとしていた伝統的な制限に新たな健康養生観念が注入されつつある。温泉療法、温泉プール、温泉サウナ、温泉マッサージ、温泉養生館などにより、伝統的な温泉が楽しまれる他、養生効果をさらに向上させることができる。
【考案の概要】
【考案が解決しようとする課題】
【０００３】
しかし、温泉の資源は、温泉会館が多く設立されるに従い、限られた温泉資源では、良い温泉養生資源を提供することができなくなりつつあり、その上、異なった温泉資源、例えば炭酸水素塩泉、硫黄泉などについては、僅か数箇所のみが温泉水を多く提供することができる。そのため、多くのレジャー産業の発展に応じ、天然資源の保護または使用の利便性を考えて、人工的温泉機を利用して天然に近い温泉水を造る必要性があると考える。
【０００４】
本考案の目的は、鉱物質またはその他の物質などを調整して溶出可能な条件を有する環境において、より短い時間、かつ小さい空間で鉱物質の成分を溶出させ、温泉水を造る温泉水製造器を提供する。
【課題を解決するための手段】
【０００５】
前記の目的を達成するための温泉水製造器は、泉質液を発生する少なくとも一つの泉質発生器と、助溶剤液体を造るための少なくとも一つの助溶剤タンクと、前記泉質発生器及び前記助溶剤タンクをそれぞれ接続する供水源と、を備え、前記助溶剤液体及び前記泉質液を混合して温泉水を造ることが可能である。
【０００６】
本考案の供水源の第１の実施例は、熱水源である。該熱水源は、助溶剤タンクに入る前、冷却器を経過してお湯を冷却し、該助溶剤タンクで使用される。その内の熱水源は加熱器により提供する。該加熱器は湯沸し器である。また、冷却器はファン及びラジエータが含まれる。
【０００７】
本考案の供水源の第２の実施例は、冷水源である。該冷水源は、前記泉質発生器に入る前に、湯沸し器を介して冷却水を沸かしてお湯にし、該泉質発生器で使用される。
【０００８】
前記供水源は、電磁弁に接続すると共に、該電磁弁が前記冷却器に接続される。
【０００９】
前記冷却器と前記助溶剤タンクとの間には、第１のタンクを設け、該第１のタンクに液面スイッチを設ける。
【００１０】
本考案は、さらに少なくとも一つのポンプを備え、該ポンプは、それぞれ前記助溶剤タンクの入口端に接続される。
【００１１】
本考案は、さらに第２のタンクを備え、該第２のタンクは、それぞれ前記助溶剤タンク及び前記泉質発生器の入口端に接続される。該第２のタンクと該泉質発生器との間に第１の吸入器が設けられる。
【００１２】
本考案は、さらに第３のタンクを備え、該第３のタンクは、それぞれ前記助溶剤タンクの出口端及び前記泉質発生器の出口端に接続される。該第３のタンクと該泉質発生器の出口端との間に第２の吸入器を設ける。該第１の吸入器の入口端に温度スイッチが設けられ、該第２の吸入器の出口端に圧力スイッチが設けられる。
【００１３】
本考案は、さらに前記電磁弁、前記液面スイッチ、前記圧力スイッチ及び前記温度スイッチを制御するためのコントローラを備える。
【００１４】
前記供水源は、それぞれ湯沸し器と電磁弁に接続され、該湯沸し器は水を沸かしてお湯を供給する。また、該供水源が電磁弁に接続され、かつ該電磁弁が第１のタンクに接続される。
【００１５】
本考案における温泉水製造器の他の実施例は、泉質液を発生するための泉質発生器と、助溶剤液体を造るための第１の助溶剤タンクと、助溶剤液体を造るための第２の助溶剤タンクと、助溶剤液体を造るための第３の助溶剤タンクと、助溶剤液体を造るための第４の助溶剤タンクと、前記の泉質発生器、第１の助溶剤タンク、第２の助溶剤タンク、第３の助溶剤タンク及び第４の助溶剤タンクをぞれぞれ接続するための供水源と、を備え、該助溶剤液体と泉質液とを混合させ温泉水が造られる。
【００１６】
本考案における供水源の第１の実施例は熱水源である。該熱水源が助溶剤タンクに入る前、冷却器を経過してお湯を冷却水で冷却し、該助溶剤タンクの使用に提供する。その内の熱水源は加熱器により提供する。該加熱器は湯沸し器である。また、冷却器はファン及びラジエータを含む。
【００１７】
本考案の供水源の第２の実施例は、冷水源である。該冷水源が前記泉質発生器に入る前に、湯沸し器を介して該冷却水を沸かしてお湯にし、該泉質発生器の使用に提供する。その他の構造は前記の実施例と同一である。
【図面の簡単な説明】
【００１８】
【図１】本考案の第１実施形態による温泉水製造器のシステム見取図。
【図２】本考案の第２実施形態による温泉水製造器のシステム見取図。
【図３】本考案の温泉水製造器のシステム見取図。
【図４】本考案の温泉水製造器のシステム操作の見取図。
【図５】本考案の温泉水製造器の構造見取図。
【考案を実施するための形態】
【００１９】
（第１実施形態）
本考案の第１実施形態による温泉水製造器のシステム見取図（図１）に示すように、本考案の温泉水製造器は、少なくとも一つの泉質発生器１０、助溶剤タンク２１、２２、２３、２４及び供水源３０を含む。該泉質発生器１０は、泉質液を発生するために用いられる。該泉質液は、前記温泉水製造器１０の内部に充填された天然の鉱石と供水源３０が提供したお湯と混合して流体化状態を発生させる、さらに、泉質発生器１０の入口端１１に助溶剤溶液及び泉質発生器１０中の天然鉱石、例えば温泉花鉱石を導入し、混合して反応させ温泉水を発生させ泉質発生器１０の出口端１２から流出させる。該泉質発生器１０は、入口端１１及び出口端１２を含み、該入口端１１が供水源３０に接続される。該供水源３０は熱水源であってもよい。該熱水源は加熱器または瞬間加熱器により提供する。家庭またはその他の場所、例えば旅館などに使用する場合、該加熱器は湯沸し器である。また該供水源３０は、それぞれ前記泉質発生器１０及び前記助溶剤タンク２１、２２、２３、２４に接続される。
【００２０】
該助溶剤タンク２１、２２、２３、２４は、助溶剤液を製造して、該助溶剤液は助溶剤タンク２１、２２、２３、２４内に充填する天然物質である。例えば、天然海塩と冷却水とを混合して溶けた後に生じた天然助溶剤飽和溶液である。該助溶剤タンク２１、２２、２３、２４は、その泉質により、一つまたは複数であってもよい。本実施形態は、四つの助溶剤タンク２１、２２、２３、２４を例として提供する。助溶剤タンク２１、２２、２３、２４の何れも助溶剤液体を造ることができ、第１の助溶剤タンク２１、第２の助溶剤タンク２２、第３の助溶剤タンク２３、第４の助溶剤タンク２４などを含む。そして、前記供水源３０は電磁弁３１に接続し、該電磁弁３１が冷却器４１に接続される。また該電磁弁３１は冷却水を輸送するためのスイッチに用いられる。
【００２１】
助溶剤タンク２１を使用し、供水源３０が熱水源である場合、該熱水源がお湯を提供し、該助溶剤タンク２１の入口端前に設けられた冷却器４１により、該お湯を冷却し、助溶剤の溶解度を均一にする。該冷却器４１はファン４１１及びラジエータ４１２を含み、該ラジエータ４１２は冷却の目的を達成するためにパイプランに設置することができる。図に示すように、四つの助溶剤タンク２１、２２、２３、２４を使用する時、供水源３０は、それぞれ前記泉質発生器１０及び第１の助溶剤タンク２１、第２の助溶剤タンク２２、第３の助溶剤タンク、第４の助溶剤タンク２４の入口端に接続され、また第１の助溶剤タンク２１、第２の助溶剤タンク２２、第３の助溶剤タンク、第４の助溶剤タンク２４の入口端の前に冷却器４１が設けられ、前記のお湯を冷却させる。該お湯を冷却するため、前記の助溶剤タンク２１、２２、２３、２４に入る前、該熱水源３０と助溶剤タンク２１、２２、２３、２４との間に第１のタンク４０が設けられ、該第１のタンク４０は液面スイッチ４２を設ける。第１のタンク４０は冷却水の緩衝または冷却水を保有するために使用される。該液面スイッチ４２は、第１のタンク４０の内部の液面を検知する作用を有する。また、該第１のタンク４０は、前記第１の助溶剤タンク２１、第２の助溶剤タンク２２、第３の助溶剤タンク２３、第４の助溶剤タンク２４の入口端に接続して冷却水が助溶剤タンク２１、２２、２３、２４などへ進入する。
【００２２】
本考案は、少なくとも一つのポンプ５１を備え、例えばポンプ５１がそれぞれ第助溶剤タンク２１、２２、２３、２４の入口端に接続される。また本実施形態のように４つのポンプ５１を利用して、それぞれの助溶剤タンク２１、２２、２３、２４の前にポンプ５１を設け、各助溶剤タンク２１、２２、２３、２４の液体の補充を行う。
【００２３】
本考案は、さらに第２のタンク６１を備え、該第２のタンク６１は、それぞれ前記助溶剤タンク２１、２２及び泉質発生器１０の入口端１１に接続される。これは、本願の請求する保護範囲ではないが、本考案は、各助溶剤タンク２１、２２、２３、２４を該第２のタンク６１に接続することもでき、これは、お湯が前記泉質発生器１０に入る前に水質を調整するために多くの異なる天然鉱物質などを添加するための必要な設計である。従って、該第２のタンク６１を介して助溶剤タンク２１、２２または助溶剤タンク２１、２２、２３、２４からの助溶剤液体を緩衝、または混合させることによって、必需な泉水の処方の使用を提供するために確保される。該第２のタンク６１と泉質発生器１０との間に第１の吸入器７１が設けられる。また、液体の流動を便利にするため、該第１の吸入器７１により助溶剤液体を便利に吸入でき、かつ前記お湯に混入して泉質発生器１０内に入ることになる。
【００２４】
本考案は、さらに第３のタンク６２を含み、該第３のタンク６２は、それぞれ前記助溶剤タンク２３、２４の出口端及び泉質発生器１０の出口端１２に接続される。これは、本願の請求する保護範囲ではないが、本考案は、さらに各助溶剤タンク２１、２２、２３、２４を該第３のタンク６２に接続することもでき、これは、泉質発生器１０の出口端１２が水質を調整するために多くの異なる天然鉱物質などを添加するための必要な設計である。従って、該第３のタンク６２を介して助溶剤タンク２３、２４または助溶剤タンク２１、２２、２３、２４からの助溶剤液体を緩衝、または混合させることによって、必需な泉水の処方の使用を提供するために確保される。即ち、該第３のタンク６２は、泉質発生器１０の出口端１２に接続して他の異なる助溶剤液体の該泉水発生器１０の出口端１２に混入する泉質液を提供して温泉水を発生させる。該第３のタンク６２と泉質発生器１０の出口端１２との間に第２の吸入器７２が設けられる。また、液体の流動を便利にするため、該第２の吸入器７２により助溶剤液体を便利に吸入でき、さらに前記泉質発生器１０が発生した泉質液中に混入して必要な温泉水質を提供する。このような流れの操作は、異なる泉質の温泉水に合せて行うことができる。
【００２５】
前記第１の吸入器７１の入口端の前に温度スイッチ７１１が設けられ、該第２の吸入器７１の出口端に圧力スイッチ７２１が設けられている。つまり、お湯が前記泉質発生器１０に入る前、お湯が一定の温度範囲、例えば摂氏４０−６０度の温度範囲を保つために、該第１の吸入器７１の入口端に前記温度スイッチ７１１を設けることで、第１の吸入器７１のお湯の温度が高くなりすぎないよう、または低くなりすぎないようにする。また温泉水が蛇口から流れ出す時、圧力をコントロールする必要があるため、該第２の吸入器７２の出口端に圧力スイッチ７２１が設けられる。
【００２６】
本考案は、さらに前記圧力スイッチ７２１及び前記温度スイッチ７１１を制御するためのコントローラー８０を備える。本考案のコントローラー８０は圧力スイッチ７２１、温度保護スイッチ７１１、液面スイッチ４２、電磁弁３１及びポンプ５１を含む各部品を検知して制御することによって、温泉水の製造過程は順調に進行して温泉水を発生させることができる。
【００２７】
本実施形態は、供水源３０の湯沸し器により加熱されたお湯を二つの流れに分け、その一つは、泉質発生器１０に入り天然鉱石で流体化状態になる。他方のお湯は冷却器４１により冷却された後、それぞれの流れの割合で第１の助溶剤タンク２１、第２の助溶剤タンク２２、第３の助溶剤タンク２３、第４の助溶剤タンク２４に入り、第１の助溶剤タンク２１、第２の助溶剤タンク２２、第３の助溶剤タンク２３、第４の助溶剤タンク２４により発生された飽和助溶剤の溶液はコアを介して濾過され、該第１の助溶剤タンク２１、第２の助溶剤タンク２２の飽和溶液は第１の吸入器７１から吸入してお湯と混合した後、同時に、泉質発生器１０に入り反応し、第３の助溶剤タンク２３、第４の助溶剤タンク２４が発生した飽和助溶剤の溶液は、第２の吸入器７２に吸入され泉質発生器１０からの水とを混合して温泉水を製造する。
【００２８】
（第２実施形態）
本考案の第２実施形態による温泉水製造器のシステム見取図（図２）に示すように、本実施形態では、供水源３０がそれぞれ湯沸し器３２及び電磁弁３１に接続して、該湯沸し器３２は水を沸かしてお湯を供給する。本実施形態は、供水源３０に冷水を提供するため、第１のタンク４０に入る前に冷却する必要がない。また該供水源３０は電磁弁３１に接続して該電磁弁３１が第１のタンク４０に接続される。
【００２９】
第２実施形態と第１実施形態との違いは、供水源３０が供水するとき、パイプランは、冷水パイプラン及び熱水パイプランに分けなければならない。冷水パイプランは、冷水が第１のタンク４０へ送出する電磁弁３１を提供する。熱水パイプランは、加熱器または瞬間加熱器３２を設置する。その他のシステム構造及び流れは、第１実施形態と同じであるので、説明を省略する。
【００３０】
本実施形態の水道水は二つに分け、その一つは、加熱器３２に加熱されたお湯が泉質発生器１０に入って天然鉱石で流体化状態になる。他方の水道水は、それぞれ異なった流れの割合で第１の助溶剤タンク２１、第２の助溶剤タンク２２、第３の助溶剤タンク２３、第４の助溶剤タンク２４に入り、第１の助溶剤タンク２１、第２の助溶剤タンク２２、第３の助溶剤タンク２３、第４の助溶剤タンク２４が製造した飽和助溶剤の溶液は、コアを介して濾過される。そして、該第１の助溶剤タンク２１、第２の助溶剤タンク２２の飽和溶液は、第１の吸入器７１に吸入され、お湯と混合した後、同時に、泉質発生器１０に入り、それと反応する。また、第３の助溶剤タンク２３、第４の助溶剤タンク２４が発生した飽和助溶剤の溶液は、第２の吸入器７２に吸入され、泉質発生器１０の送水とを混合して温泉水を製造する。
【００３１】
図３、図４に本考案の温泉水製造器のシステム見取図及びシステム操作の見取図を示す。図３に示すように、四つのポンプ５１をそれぞれ第１のタンク４０と助溶剤タンク２１、２２、２３、２４に接続させ、該第１のタンク４０が該ポンプユニットの下方に位置され、該ポンプ５１のいずれも該第１のタンク４０内の水を吸引することができる。
【００３２】
図４に示すように、第１のタンク４０内に水が充填され、該ポンプ５１は吸水部５１１及び経路５２を介して第１の助溶剤タンク２１に吸引してから、該第１の助溶剤タンク２１の内部の助溶剤の液体と混合して飽和溶液を形成した後、経路５３、送水点５４及び入水点５５を介して第２のタンク６１に送出して混合させる。再び、該第１の吸入器７１から泉質発生器１０の入口端１１に送入して泉質発生器１０に入ることになる。
【００３３】
それと同時に、該ポンプ５１は、吸水部５１２及び経路５６により前記第２の助溶剤タンク２２に吸水して、該第２の助溶剤タンク２２の内部の助溶剤の液体と混合して飽和溶液を形成した後、再び経路５７を介して該第２のタンク６１に送入して混合させ、さらに第１の吸入器７１から泉質発生器１０の入口端１１に送入して泉質発生器１０に入ることになる。
【００３４】
該泉質発生器１０の内部で混合した後、直ちに該出口端１２に送出され、同じく、第３の助溶剤タンク２３と第４の助溶剤タンク２４に助溶剤の液体がポンプ５１により出口端１２に吸入して混合されたことで、温泉水を製造して送出することができる。
【００３５】
本考案の温泉水製造器の構造の見取図（図５）に示すように、本考案の温泉水製造器は、ケーシング９０を含み、該ケーシング９０には、それぞれ泉質発生器１０及び四つの助溶剤タンク２１、２２、２３、２４が設けられ、ここでの助溶剤タンク２１、２２、２３、２４の数は、状況によって増減することができる。該泉質発生器１０及び四つの助溶剤タンク２１、２２、２３、２４は、それぞれポンプ５１と接続され、チューブまたは配水盤により互いに接続される。最後に、システム構造を一つのカバー（図示せず）の内部に取り付け、より一体的な外観にすることができる。
【００３６】
以上説明したように、本考案の温泉水製造器は、鉱物質またはその他の物質などを調整して溶出可能な条件環境において、より短い時間及びより小さい空間において鉱質成分を溶出でき、温泉水を発生させるものである。
【符号の説明】
【００３７】
１０：泉発生器、１１：入口端、１２：出口端、２１：第１の助溶剤タンク、２２：第２の助溶剤タンク、２３：第３の助溶剤タンク、２４：第４の助溶剤タンク、３０：供水源、３１：電磁弁、３２：加熱器、４０：第１のタンク、４１：冷却器、４１１：ファン、４１２：ラジエータ、４２：液面スイッチ、５１：ポンプ、６１：第２のタンク、６２：第３のタンク、７１：第１の吸入器、７１１：温度スイッチ、７２：第２の吸入器、７２１：圧力スイッチ、８０：コントローラー、９０：ケーシング
【図１】
0003159367.tif 000003
【図２】
0003159367.tif 000004
【図３】
0003159367.tif 000005
【図４】
0003159367.tif 000006
【図５】
0003159367.tif 000007
【手続補正書】
【提出日】平成22年3月8日(2010.3.8)
【手続補正１】
【補正対象書類名】実用新案登録請求の範囲
【補正対象項目名】請求項８
【補正方法】変更
【補正の内容】
【請求項８】
さらに前記液面スイッチを制御するためのコントローラーを備えることを特徴とする請求項７に記載の温泉水製造器。